(57)【要約】【課題】単一の無線モジュールしか搭載していない移動端末であっても、セッションの中断によるパケットロスを生じることなく、異なるＰ／Ｓ−ＣＳＣＦによって制御されるアクセスネットワーク間でハンドオーバすることができるハンドオーバ方法等を提供する。【解決手段】移動元アクセスルータＰＡＲ１２は、移動先アクセスポイントＮＡＰ２１のBSSIDと、ＮＡＲ２２の管理下の新アドレスＮＡ(New Address)とを対応付けて記憶する。移動端末が、ＮＡＰ２１から取得したBSSIDを用いて、ＰＡＲ１２から新アドレスＮＡを受信する。その後、移動端末１０は、移動先ＣＳＣＦに対する位置登録要求REGISTERを、新アドレスＮＡによってＩＰカプセル化し、カプセル化されたその位置登録パケットを、ＰＡＲ１２を介してＮＡＲ２２へ送信する。ＮＡＲ２２は、位置登録パケットのＩＰカプセルを除去し、その位置登録要求を、移動先ＣＳＣＦへ送信する。【選択図】図３
2010171665.tif 000002
【特許請求の範囲】
【請求項１】
第１のドメインを管理する第１の呼セッション制御サーバと、第２のドメインを管理する第２の呼セッション制御サーバとを有するＩＰ(Internet Protocol)サブシステムネットワークと、
第１の呼セッション制御サーバによって制御される第１のアクセスルータと、端末によって接続される第１のアクセスポイントとを有する第１のアクセスネットワークと、
第２の呼セッション制御サーバによって制御される第２のアクセスルータと、端末によって接続される第２のアクセスポイントとを有する第２のアクセスネットワークと
を有するシステムについて、第１のアクセスポイントに接続された移動端末が、第２のアクセスネットワークに接続された相手方端末と通信している際に、第２のアクセスポイントへハンドオーバするためのハンドオーバ方法において、
第１のアクセスルータは、第２のアクセスネットワークに接続された第２のアクセスポイントのネットワーク識別子と、第２のアクセスネットワークに接続された第２のアクセスルータの管理下の新アドレスＮＡ(New Address)とを対応付けて記憶しており、
前記移動端末が、第２のアクセスポイントから、前記ネットワーク識別子を含む電波を受信する第１のステップと、
前記移動端末が、前記ネットワーク識別子を第１のアクセスルータへ送信し、第１のアクセスルータから前記ネットワーク識別子に対応した新アドレスＮＡを受信する第２のステップと、
前記移動端末が、第２の呼セッション制御サーバに対する位置登録要求を、新アドレスＮＡによってＩＰカプセル化し、カプセル化されたその位置登録パケットを、第１のアクセスルータを介して第２のアクセスルータへ送信する第３のステップと、
第２のアクセスルータが、前記位置登録パケットのＩＰカプセルを除去し、その位置登録要求を、第２の呼セッション制御サーバへ送信する第４のステップと
を有することを特徴とするハンドオーバ方法。
【請求項２】
前記ＩＰサブシステムネットワークは、第１の呼セッション制御サーバと第２の呼セッション制御サーバとに接続されるサービス集中継続アプリケーションサーバを更に有し、
前記移動端末が、移動後の第２のアクセスネットワークを介した第２の呼セッション制御サーバに対する呼接続要求を、新アドレスＮＡによってＩＰカプセル化し、カプセル化されたその呼接続パケットを、第１のアクセスルータを介して第２のアクセスルータへ送信する第５のステップと、
第２のアクセスルータが、前記呼接続パケットのＩＰカプセルを除去し、その呼接続要求を、第２の呼セッション制御サーバへ送信する第６のステップと
第２の呼セッション制御サーバが、前記呼接続要求を、前記サービス集中継続アプリケーションサーバへ送信する第７のステップと、
前記サービス集中継続アプリケーションサーバが、前記相手方端末の対向セッションに対する更新呼接続要求を、第２の呼セッション制御サーバへ送信する第８のステップと、
第２の呼セッション制御サーバは、前記更新呼接続要求を、第２のアクセスネットワークを介して相手方端末へ送信する第９のステップと
を更に有することを特徴とする請求項１に記載のハンドオーバ方法。
【請求項３】
第２のステップについて、前記移動端末が、ユーザデータの転送を要求する転送要求メッセージを、第１のアクセスルータを介して第２のアクセスルータへ送信し、
第２のアクセスルータが、前記相手方端末から前記移動端末へのユーザデータを受信した際に、前記ユーザデータを新アドレスＮＡによってＩＰカプセル化し、カプセル化されたそのユーザデータパケットを、第１のアクセスルータを介して前記移動端末へ送信する第１０のステップと、
前記移動端末が、第２のアクセスポイントに接続している移動前に、バッファ開始要求を、第１のアクセスルータを介して第２のアクセスルータへ送信する第１１のステップと、
第２のアクセスルータが、前記相手方端末から前記移動端末へのユーザデータを受信した際に、前記ユーザデータをバッファする第１２のステップと、
前記移動端末が、第２のアクセスポイントに接続した移動後に、第２のアクセスルータへ、バッファ解除要求を送信する第１３のステップと、
第２のアクセスルータが、バッファしていた前記ユーザデータを、第２のアクセスポイントを介して前記移動端末へ送信する第１４のステップと
を更に有することを特徴とする請求項２に記載のハンドオーバ方法。
【請求項４】
前記ＩＰサブシステムネットワークは、ＩＭＳ(IP Multimedia Subsystem)／ＭＭＤ(MultiMedia Domain)コアネットワークであり、
前記位置登録要求は、ＳＩＰ(Session Initiation Protocol)のREGISTERであり、
前記呼接続要求は、ＳＩＰのINVITEであり、
前記更新呼接続要求は、ＳＩＰのreINVITEであり、
第１のステップ及び第２のステップは、ＦＭＩＰｖ６(Fast handovers for MIPv6)のシーケンスによって実行される
ことを特徴とする請求項３に記載のハンドオーバ方法。
【請求項５】
第１のドメインを管理する第１の呼セッション制御サーバと、第２のドメインを管理する第２の呼セッション制御サーバとを有するＩＰサブシステムネットワークと、
第１の呼セッション制御サーバによって制御される第１のアクセスルータと、端末によって接続される第１のアクセスポイントとを有する第１のアクセスネットワークと、
第２の呼セッション制御サーバによって制御される第２のアクセスルータと、端末によって接続される第２のアクセスポイントとを有する第２のアクセスネットワークと
を有するシステムについて、第１のアクセスポイントに接続された移動端末が、第２のアクセスネットワークに接続された相手方端末と通信している際に、第２のアクセスポイントへハンドオーバするためのシステムにおいて、
第１のアクセスルータは、第２のアクセスネットワークに接続された第２のアクセスポイントのネットワーク識別子と、第２のアクセスネットワークに接続された第２のアクセスルータの管理下の新アドレスＮＡ(New Address)とを対応付けた記憶テーブル手段を有し、
前記移動端末は、
第２のアクセスポイントから、ネットワーク識別子を含む電波を受信する電波受信手段と、
前記ネットワーク識別子を第１のアクセスルータへ送信し、第１のアクセスルータから前記ネットワーク識別子に対応した新アドレスＮＡを受信する移動先アドレス取得手段と、
第２の呼セッション制御サーバに対する位置登録要求を、新アドレスＮＡによってＩＰカプセル化し、カプセル化されたその位置登録パケットを、第１のアクセスルータを介して第２のアクセスルータへ送信する位置登録要求送信手段と
を有し、
第２のアクセスルータは、前記位置登録パケットのＩＰカプセルを除去し、その位置登録要求を、第２の呼セッション制御サーバへ送信する位置登録転送手段を有する
ことを特徴とするハンドオーバ用のシステム。
【請求項６】
前記ＩＰサブシステムネットワークは、第１の呼セッション制御サーバと第２の呼セッション制御サーバとに接続されるサービス集中継続アプリケーションサーバを更に有し、
前記移動端末は、第２の呼セッション制御サーバに対する呼接続要求を新アドレスＮＡによってＩＰカプセル化した呼接続パケットを、第１のアクセスルータを介して第２のアクセスルータへ送信する呼接続要求送信手段を有し、
第２のアクセスルータは、前記呼接続パケットのＩＰカプセルを除去し、その呼接続要求を、第２の呼セッション制御サーバへ送信する呼接続転送手段を有する
ことを特徴とする請求項５に記載のハンドオーバ用のシステム。
【請求項７】
前記移動端末は、
ユーザデータの転送を要求する転送要求メッセージを、第１のアクセスルータを介して第２のアクセスルータへ送信する転送制御手段と、
第２のアクセスポイントに接続している移動前に、バッファ開始要求を、第１のアクセスルータを介して第２のアクセスルータへ送信し、且つ、第２のアクセスポイントに接続した移動後に、第２のアクセスルータへ、バッファ解除要求を送信するバッファ制御通知手段と
を更に有し、
第２のアクセスルータは、
前記相手方端末から前記移動端末へのユーザデータを受信した際に、前記ユーザデータを新アドレスＮＡによってＩＰカプセル化し、カプセル化されたそのユーザデータパケットを、第１のアクセスルータを介して前記移動端末へ送信するユーザデータ転送手段と、
前記相手方端末から前記移動端末へのユーザデータを受信した際に、前記ユーザデータをバッファし、且つ、バッファしていた前記ユーザデータを、第２のアクセスポイントを介して前記移動端末へ送信するバッファ手段と
を更に有することを特徴とする請求項６に記載のハンドオーバ用のシステム。
【請求項８】
前記ＩＰサブシステムネットワークは、ＩＭＳ／ＭＭＤコアネットワークであり、
前記位置登録要求は、ＳＩＰのREGISTERであり、
前記呼接続要求は、ＳＩＰのINVITEであり、
前記更新呼接続要求は、ＳＩＰのreINVITEであり、
前記電波受信手段及び前記移動先アドレス取得手段は、ＦＭＩＰｖ６のシーケンスによって実行される
ことを特徴とする請求項７に記載のハンドオーバ用のシステム。
【発明の詳細な説明】
【技術分野】
【０００１】
本発明は、異なるセッション制御サーバに基づくアクセスネットワーク間のハンドオーバ方法及びシステムに関する。
【背景技術】
【０００２】
図１は、従来技術におけるシステム構成図である。
【０００３】
図１のシステムによれば、第１のアクセスネットワーク１及び第２のアクセスネットワーク２が、ＩＭＳ(IP Multimedia Subsystem)／ＭＭＤ(MultiMedia Domain)コアネットワーク（ＩＰ(Internet Protocol)サブシステムネットワーク）３に接続されている。第１のアクセスネットワーク１と第２のアクセスネットワーク２とは、異なるドメインに属しており、異なる呼セッション制御機能（ＣＳＣＦ(Call Session Control Function)）によって制御される。
【０００４】
移動元の第１のアクセスネットワーク１は、移動端末ＵＥ(User Equipment)１０から無線リンクを介して接続される移動元の第１のアクセスポイントＰＡＰ(Previous Access Point)１１と、ＩＭＳ／ＭＭＤコアネットワーク３に接続される移動元の第１のアクセスルータＰＡＲ(Previous Access Router)１２とを有する。第２のアクセスネットワーク２は、移動端末１０と通信中の相手方端末２０と、移動端末１０の移動先の第２のアクセスポイントＮＡＰ(New Access Point)２１と、ＩＭＳ／ＭＭＤコアネットワーク３に接続される第２のアクセスルータＮＡＲ(New Access Router)２２とを有する。アクセスネットワーク１及び２は、例えば携帯電話網や、無線／有線ブロードバンドアクセス網である。移動端末１０及び相手方端末２０は、ＳＩＰ(Session Initiation Protocol)クライアント機能を有する。図１によれば、ＰＡＰ１１に接続している移動端末１０が、第２のアクセスネットワーク２に接続された相手方端末２０と通信している際に、ＮＡＰ２１へハンドオーバしている。
【０００５】
ＩＭＳ／ＭＭＤコアネットワーク３は、第１のアクセスネットワーク１の第１のドメインを管理するために、呼セッション制御機能としての複数のＰ−ＣＳＣＦ(Proxy-CSCF)１３及びＳ−ＣＳＣＦ(Serving-CSCF)１４と、加入者情報サーバ（ＨＳＳ(Home Subscriber Server)）１５とを有する。また、ＩＭＳ／ＭＭＤコアネットワーク３は、第２のアクセスネットワーク２の第２のドメインを管理するために、複数のＰ−ＣＳＣＦ２３及びＳ−ＣＳＣＦ２４と、ＨＳＳ２５とを有する。
【０００６】
Ｐ−ＣＳＣＦ１３又は２３は、端末から、アクセスネットワーク１又は２を介して直接的にアクセスされる。そして、Ｐ−ＣＳＣＦ１３は、セッション毎にメディア情報を抽出し、セッション確立時にアクセスルータに対するゲート制御及びリソース制御を指示する。Ｐ−ＣＳＣＦ１３は、端末からの位置登録時に決定され、端末との間にセキュアなＩＰｓｅｃトンネルを確立する。端末から受信したＳＩＰメッセージは、Ｓ−ＣＳＣＦ１４又は２４へ転送される。
【０００７】
Ｓ−ＣＳＣＦ１４又は２４は、サービス実行及び呼セッション制御のための中心的なＳＩＰサーバである。Ｓ−ＣＳＣＦ１４は、自身が管理するドメインを有し、そのドメインの範囲内のSIP-URI(SIP - Uniform Resource Identifier)について制御する。また、Ｓ−ＣＳＣＦ１４又は２４は、加入者プロファイル情報を管理するＨＳＳ１５及び２５に接続され、ユーザ認証を実行する。
【０００８】
更に、ＩＭＳ／ＭＭＤコアネットワーク３は、サービス集中継続アプリケーションサーバＳＣＣ−ＡＳ(Service Centralization and Continuity - Application Server)３０を有する。ＳＣＣ−ＡＳ３０は、第１のＳ−ＣＳＣＦ１４と第２のＳ−ＣＳＣＦ２４とのに接続される。ＳＣＣ−ＡＳ３０は、異なるＣＳＣＦの管理下のアクセスネットワークの間で、移動端末１０がハンドオーバした場合であっても、呼セッションを継続させるためのアプリケーションサーバである。
【０００９】
図２は、従来技術におけるハンドオーバのシーケンス図である。
【００１０】
（Ｓ２０１）移動端末１０は、無線リンクを介してＰＡＰ１１に接続する。そして、移動端末１０は、ＰＡＰ１１を介して、ＰＡＲ１２へ、位置登録要求REGISTERを送信する。ＰＡＲ１２は、位置登録要求REGISTERを、第１のＰ−ＣＳＣＦ１３へ転送し、第１のＰ−ＣＳＣＦ１３は、その位置登録要求REGISTERを、第１のＳ−ＣＳＣＦ１４へ転送する。
【００１１】
第１のＳ−ＣＳＣＦ１４は、その位置登録要求REGISTERについて、ＨＳＳ１５から加入者プロファイルを取得する。加入者プロファイルは、アプリケーションサーバに対する呼び出し条件としてのｉＦＣ(initial Filter Criteria)情報を含む。ここで、第１のＳ−ＣＳＣＦ１４は、ｉＦＣ情報に応じて、その位置登録要求REGISTERを、3rd party registrationによってＳＣＣ−ＡＳ３０へ更に転送する。
【００１２】
ＳＣＣ−ＡＳ３０は、位置登録要求REGISTERのSIP-URIを、第１のＳ−ＣＳＣＦ１４に対応付けて位置登録をする。そして、ＳＣＣ−ＡＳ３０は、位置登録応答200OKを、第１のＳ−ＣＳＣＦ１４へ返信する。第１のＳ−ＣＳＣＦは、位置登録応答200OKを第１のＰ−ＣＳＣＦ１３へ転送する。第１のＰ−ＣＳＣＦ１３は、その位置登録応答200OKを、ＰＡＲ１２及びＰＡＰ１１を介して、移動端末１０へ転送する。
【００１３】
（Ｓ２０２）通信の相手方端末２０も、Ｓ２０１と同様のシーケンスで、第２のＳ−ＣＳＣＦ２４及びＳＣＣ−ＡＳ３０に対して、位置登録要求REGISTERを送信する。
【００１４】
（Ｓ２０３）移動端末１０は、相手方端末２０に対して、呼接続要求INVITEを送信する。呼接続要求INVITEは、ＰＡＰ１１、ＰＡＰ１２及び第１のＰ−ＣＳＣＦ１３を介して、第１のＳ−ＣＳＣＦ１４によって受信される。第１のＳ−ＣＳＣＦ１４は、呼接続要求INVITEを、ｉＦＣ情報に基づいてＳＣＣ−ＡＳ３０へ転送する。
【００１５】
（Ｓ２０４）ＳＣＣ−ＡＳ３０は、一度セッションを終端した後、相手方端末２０宛に新しいセッション情報を作成し、位置登録要求INVITEを、第１のＳ−ＣＳＣＦ１４へ送信する。第１のＳ−ＣＳＣＦ１４は、ｉＦＣ情報に応じて、その位置登録要求INVITEを、第２のＳ−ＣＳＣＦ２４へ転送する。第２のＳ−ＣＳＣＦ２４は、ｉＦＣ情報に応じて、その位置登録要求INVITEを、再度、ＳＣＣ−ＡＣ３０へ転送する。
【００１６】
（Ｓ２０５）ＳＣＣ−ＡＳ３０は、再度セッションを終端した後、相手方端末２０宛に新しいセッション情報を作成し、位置登録要求INVITEを、第２のＳ−ＣＳＣＦ２４へ送信する。第２のＳ−ＣＳＣＦ２４は、ｉＦＣ情報に応じて、位置登録要求INVITEを第２のＰ−ＣＳＣＦ２３へ送信する。第２のＰ−ＣＳＣＦ２３は、その位置登録要求INVITEを、ＮＡＲ２２を介して相手方端末２０へ転送する。相手方端末２０は、ユーザの応答許可操作によって、呼接続応答200OKを返信する。
【００１７】
（Ｓ２０６）移動端末１０と相手方端末２０との間で、ＳＩＰによる呼接続が確立し、ユーザデータを直接的に通信する。
【００１８】
次に、移動端末１０は、第２のアクセスネットワーク２が接続されたＮＡＰ２１へハンドオーバする。
【００１９】
（Ｓ２１１）移動端末１０は、ＰＡＰ１１との間の無線リンクを切断する。
（Ｓ２１２）移動端末１０は、第２のアクセスネットワーク２へ向けて移動する。
（Ｓ２１３）移動端末１０は、第２のアクセスネットワーク２のＮＡＰ２１との間で、無線リンクを接続する。
（Ｓ２１４）移動端末１０は、第２のアクセスネットワークにおけるＩＰアドレスを取得し、呼を確立する。
（Ｓ２１５）移動端末１０は、ＮＡＰ２１を介して、ＮＡＲ２２へ、位置登録要求REGISTERを送信する。ＮＡＲ２１は、位置登録要求REGISTERを、第２のＰ−ＣＳＣＦ２３へ転送し、第２のＰ−ＣＳＣＦ２３は、その位置登録要求REGISTERを、第２のＳ−ＣＳＣＦ２４へ転送する。第２のＳ−ＣＳＣＦ２４は、ｉＦＣ情報に応じて、その位置登録要求REGISTERを、3rd party registrationによってＳＣＣ−ＡＳ３０へ更に転送する。ＳＣＣ−ＡＳ３０は、位置登録要求REGISTERのSIP-URIを、第２のＳ−ＣＳＣＦ２４に対応付けて位置登録をする。そして、ＳＣＣ−ＡＳ３０は、位置登録応答200OKを、移動端末１０へ向けて返信する。
（Ｓ２１６）移動端末１０は、相手方端末２０に対して、呼接続要求INVITEを送信する。呼接続要求INVITEは、ＮＡＰ２１、ＮＡＰ２２及び第２のＰ−ＣＳＣＦ２３を介して、第２のＳ−ＣＳＣＦ２４によって受信される。第２のＳ−ＣＳＣＦ２４は、呼接続要求INVITEを、ｉＦＣ情報に基づいてＳＣＣ−ＡＳ３０へ転送する。
【００２０】
（Ｓ２１７）ＳＣＣ−ＡＳ３０は、一度セッションを終端した後、相手方端末２０宛に新しいセッション情報を作成し、位置登録要求INVITEを、第１のＳ−ＣＳＣＦ１４へ送信する。第１のＳ−ＣＳＣＦ１４は、ｉＦＣ情報に応じて、その位置登録要求INVITEを、第２のＳ−ＣＳＣＦ２４へ転送する。第２のＳ−ＣＳＣＦ２４は、ｉＦＣ情報に応じて、その位置登録要求INVITEを、再度、ＳＣＣ−ＡＣ３０へ転送する。
【００２１】
（Ｓ２１８）ＳＣＣ−ＡＳ３０は、再度セッションを終端した後、相手方端末２０宛に新しいセッション情報を作成し、位置登録要求INVITEを、第２のＳ−ＣＳＣＦ２４へ送信する。第２のＳ−ＣＳＣＦ２４は、ｉＦＣ情報に応じて、位置登録要求INVITEを第２のＰ−ＣＳＣＦ２３へ送信する。第２のＰ−ＣＳＣＦ２３は、その位置登録要求INVITEを、ＮＡＲ２２を介して相手方端末２０へ転送する。相手方端末２０は、ユーザの応答許可操作によって、呼接続応答200OKを返信する。
【００２２】
（Ｓ２１９）移動端末１０と相手方端末２０との間で、ＳＩＰによる呼接続が確立し、ユーザデータを直接的に通信する。これによって、移動端末１０のハンドオーバが完了する。
【先行技術文献】
【非特許文献】
【００２３】
【非特許文献１】3GPP TS 23.237: "IP MultimediaSubsystem. (IMS) service continuity; Stage 2"
【非特許文献２】R. Koodli、「Fast Handovers for Mobile IPv6」、RFC4068、２０００５年５月
【発明の概要】
【発明が解決しようとする課題】
【００２４】
前述した図２のシーケンスによれば、異なるＰ／Ｓ−ＣＳＣＦによって制御されるアクセスネットワーク間でハンドオーバする場合について説明している。ここで、移動端末が、複数の無線モジュールを備えている場合、２つのセッションを同時に確立することができ、スムーズにハンドオーバをすることもできる。しかしながら、移動端末が、単一の無線モジュールしか備えていない場合、セッション継続中に生じる通信切断によって、パケットロスが生じる。この通信切断の時間は、移動端末が、移動先アクセスポイントを探索し、移動先アクセスネットワークからＩＰアドレスを取得し、ＳＩＰメッセージの再呼接続の確立するために生じる。具体的には、図２によれば、Ｓ２１２〜Ｓ２１８までの時間だけ、セッションが中断すると共に、パケットロスが生じる。
【００２５】
そこで、本発明は、単一の無線モジュールしか搭載していない移動端末であっても、セッションの中断によるパケットロスを生じることなく、異なるＰ／Ｓ−ＣＳＣＦによって制御されるアクセスネットワーク間でハンドオーバすることができるハンドオーバ方法及びシステムを提供することを目的とする。
【課題を解決するための手段】
【００２６】
本発明によれば、第１のドメインを管理する第１の呼セッション制御サーバと、第２のドメインを管理する第２の呼セッション制御サーバとを有するＩＰサブシステムネットワークと、
第１の呼セッション制御サーバによって制御される第１のアクセスルータと、端末によって接続される第１のアクセスポイントとを有する第１のアクセスネットワークと、
第２の呼セッション制御サーバによって制御される第２のアクセスルータと、端末によって接続される第２のアクセスポイントとを有する第２のアクセスネットワークと
を有するシステムについて、第１のアクセスポイントに接続された移動端末が、第２のアクセスネットワークに接続された相手方端末と通信している際に、第２のアクセスポイントへハンドオーバするためのハンドオーバ方法において、
第１のアクセスルータは、第２のアクセスネットワークに接続された第２のアクセスポイントのネットワーク識別子と、第２のアクセスネットワークに接続された第２のアクセスルータの管理下の新アドレスＮＡ(New Address)とを対応付けて記憶しており、
移動端末が、第２のアクセスポイントから、ネットワーク識別子を含む電波を受信する第１のステップと、
移動端末が、ネットワーク識別子を第１のアクセスルータへ送信し、第１のアクセスルータからネットワーク識別子に対応した新アドレスＮＡを受信する第２のステップと、
移動端末が、第２の呼セッション制御サーバに対する位置登録要求を、新アドレスＮＡによってＩＰカプセル化し、カプセル化されたその位置登録パケットを、第１のアクセスルータを介して第２のアクセスルータへ送信する第３のステップと、
第２のアクセスルータが、位置登録パケットのＩＰカプセルを除去し、その位置登録要求を、第２の呼セッション制御サーバへ送信する第４のステップと
を有することを特徴とする。
【００２７】
本発明のハンドオーバ方法における他の実施形態によれば、
ＩＰサブシステムネットワークは、第１の呼セッション制御サーバと第２の呼セッション制御サーバとに接続されるサービス集中継続アプリケーションサーバを更に有し、
移動端末が、移動後の第２のアクセスネットワークを介した第２の呼セッション制御サーバに対する呼接続要求を、新アドレスＮＡによってＩＰカプセル化し、カプセル化されたその呼接続パケットを、第１のアクセスルータを介して第２のアクセスルータへ送信する第５のステップと、
第２のアクセスルータが、呼接続パケットのＩＰカプセルを除去し、その呼接続要求を、第２の呼セッション制御サーバへ送信する第６のステップと
第２の呼セッション制御サーバが、呼接続要求を、サービス集中継続アプリケーションサーバへ送信する第７のステップと、
サービス集中継続アプリケーションサーバが、相手方端末の対向セッションに対する更新呼接続要求を、第２の呼セッション制御サーバへ送信する第８のステップと、
第２の呼セッション制御サーバは、更新呼接続要求を、第２のアクセスネットワークを介して相手方端末へ送信する第９のステップと
を更に有することも好ましい。
【００２８】
本発明のハンドオーバ方法における他の実施形態によれば、
第２のステップについて、移動端末が、ユーザデータの転送を要求する転送要求メッセージを、第１のアクセスルータを介して第２のアクセスルータへ送信し、
第２のアクセスルータが、相手方端末から移動端末へのユーザデータを受信した際に、ユーザデータを新アドレスＮＡによってＩＰカプセル化し、カプセル化されたそのユーザデータパケットを、第１のアクセスルータを介して移動端末へ送信する第１０のステップと、
移動端末が、第２のアクセスポイントに接続している移動前に、バッファ開始要求を、第１のアクセスルータを介して第２のアクセスルータへ送信する第１１のステップと、
第２のアクセスルータが、相手方端末から移動端末へのユーザデータを受信した際に、ユーザデータをバッファする第１２のステップと、
移動端末が、第２のアクセスポイントに接続した移動後に、第２のアクセスルータへ、バッファ解除要求を送信する第１３のステップと、
第２のアクセスルータが、バッファしていたユーザデータを、第２のアクセスポイントを介して移動端末へ送信する第１４のステップと
を更に有することも好ましい。
【００２９】
本発明のハンドオーバ方法における他の実施形態によれば、
ＩＰサブシステムネットワークは、ＩＭＳ／ＭＭＤコアネットワークであり、
位置登録要求は、ＳＩＰのREGISTERであり、
呼接続要求は、ＳＩＰのINVITEであり、
更新呼接続要求は、ＳＩＰのreINVITEであり、
第１のステップ及び第２のステップは、ＦＭＩＰｖ６(Fast handovers for MIPv6)のシーケンスによって実行される
ことも好ましい。
【００３０】
本発明によれば、第１のドメインを管理する第１の呼セッション制御サーバと、第２のドメインを管理する第２の呼セッション制御サーバとを有するＩＰサブシステムネットワークと、
第１の呼セッション制御サーバによって制御される第１のアクセスルータと、端末によって接続される第１のアクセスポイントとを有する第１のアクセスネットワークと、
第２の呼セッション制御サーバによって制御される第２のアクセスルータと、端末によって接続される第２のアクセスポイントとを有する第２のアクセスネットワークと
を有するシステムについて、第１のアクセスポイントに接続された移動端末が、第２のアクセスネットワークに接続された相手方端末と通信している際に、第２のアクセスポイントへハンドオーバするためのシステムにおいて、
第１のアクセスルータは、第２のアクセスネットワークに接続された第２のアクセスポイントのネットワーク識別子と、第２のアクセスネットワークに接続された第２のアクセスルータの管理下の新アドレスＮＡ(New Address)とを対応付けた記憶テーブル手段を有し、
移動端末は、
第２のアクセスポイントから、ネットワーク識別子を含む電波を受信する電波受信手段と、
ネットワーク識別子を第１のアクセスルータへ送信し、第１のアクセスルータからネットワーク識別子に対応した新アドレスＮＡを受信する移動先アドレス取得手段と、
第２の呼セッション制御サーバに対する位置登録要求を、新アドレスＮＡによってＩＰカプセル化し、カプセル化されたその位置登録パケットを、第１のアクセスルータを介して第２のアクセスルータへ送信する位置登録要求送信手段と
を有し、
第２のアクセスルータは、位置登録パケットのＩＰカプセルを除去し、その位置登録要求を、第２の呼セッション制御サーバへ送信する位置登録転送手段を有する
ことを特徴とする。
【００３１】
本発明のハンドオーバ用のシステムにおける他の実施形態によれば、
ＩＰサブシステムネットワークは、第１の呼セッション制御サーバと第２の呼セッション制御サーバとに接続されるサービス集中継続アプリケーションサーバを更に有し、
移動端末は、第２の呼セッション制御サーバに対する呼接続要求を新アドレスＮＡによってＩＰカプセル化した呼接続パケットを、第１のアクセスルータを介して第２のアクセスルータへ送信する呼接続要求送信手段を有し、
第２のアクセスルータは、呼接続パケットのＩＰカプセルを除去し、その呼接続要求を、第２の呼セッション制御サーバへ送信する呼接続転送手段を有することも好ましい。
【００３２】
本発明のハンドオーバ用のシステムにおける他の実施形態によれば、
移動端末は、
ユーザデータの転送を要求する転送要求メッセージを、第１のアクセスルータを介して第２のアクセスルータへ送信する転送制御手段と、
第２のアクセスポイントに接続している移動前に、バッファ開始要求を、第１のアクセスルータを介して第２のアクセスルータへ送信し、且つ、第２のアクセスポイントに接続した移動後に、第２のアクセスルータへ、バッファ解除要求を送信するバッファ制御通知手段と
を更に有し、
第２のアクセスルータは、
相手方端末から移動端末へのユーザデータを受信した際に、ユーザデータを新アドレスＮＡによってＩＰカプセル化し、カプセル化されたそのユーザデータパケットを、第１のアクセスルータを介して移動端末へ送信するユーザデータ転送手段と、
相手方端末から移動端末へのユーザデータを受信した際に、ユーザデータをバッファし、且つ、バッファしていたユーザデータを、第２のアクセスポイントを介して移動端末へ送信するバッファ手段と
を更に有することも好ましい。
【００３３】
本発明のハンドオーバ用のシステムにおける他の実施形態によれば、
ＩＰサブシステムネットワークは、ＩＭＳ／ＭＭＤコアネットワークであり、
位置登録要求は、ＳＩＰのREGISTERであり、
呼接続要求は、ＳＩＰのINVITEであり、
更新呼接続要求は、ＳＩＰのreINVITEであり、
電波受信手段及び移動先アドレス取得手段は、ＦＭＩＰｖ６のシーケンスによって実行されることも好ましい。
【発明の効果】
【００３４】
本発明のハンドオーバ方法及びシステムによれば、単一の無線モジュールしか搭載していない移動端末であっても、セッションの中断によるパケットロスを生じることなく、異なるＰ／Ｓ−ＣＳＣＦによって制御されるアクセスネットワーク間でハンドオーバすることができる。
【図面の簡単な説明】
【００３５】
【図１】従来技術におけるシステム構成図である。
【図２】従来技術におけるハンドオーバのシーケンス図である。
【図３】本発明における第１のシステム構成図である。
【図４】図３におけるシーケンス図である。
【図５】本発明における第２のシステム構成図である。
【図６】図５におけるシーケンス図である。
【図７】本発明の移動端末及びアクセスルータの機能構成図である。
【発明を実施するための形態】
【００３６】
以下、本発明の実施の形態について、図面を用いて詳細に説明する。
【００３７】
図３は、本発明における第１のシステム構成図である。
【００３８】
図３のシステムによれば、図１と比較して、位置登録要求REGISTERが、第１のアクセスルータＰＡＲ１２から、第２のアクセスルータＮＡＲ２２、第２のＰ−ＣＳＣＦ２３及び第２のＳ−ＣＳＣＦ２４を介して、ＳＣＣ−ＡＳ３０へ転送される。これにより、移動端末１０は、ハンドオーバ前に、移動先の第２のアクセスネットワークにおける位置登録を完了することができる。従って、移動端末１０は、ハンドオーバした後、直ぐに、第２のアクセスネットワークを介して通信を継続することができる。
【００３９】
図３によれば、移動端末１０は、ハンドオーバ前に、第２のＳ−ＣＳＣＦ２４との間のＳＩＰメッセージを、ＮＡＲ２２を介して送受信するために、ＩＰカプセル化(IP in IP)する。そのために、移動端末１０は、ＮＡＲ２２のアドレスを知る必要がある。
【００４０】
ＰＡＲ１２は、ＮＡＰ２１のネットワーク識別子と、ＮＡＲ２２のアドレスＮＡ(New Address)（ＮＡＲ２２自身のアドレス、及び、第２のＰ−ＣＳＣＦ２３のアドレス）とを対応付けて記憶する。移動端末１０は、ＮＡＰ２１のネットワーク識別子によって、ＰＡＲ１２から、ＮＡＲ２２のアドレスＮＡを取得することができる。
【００４１】
図４は、図３におけるシーケンス図である。
【００４２】
（Ｓ４０１）移動端末１０と相手方端末２０との間で、ＳＩＰによる呼接続が確立し、直接的に通信されている。
【００４３】
Ｓ４０２〜Ｓ４０７は、ＦＭＩＰｖ６のシーケンスが実行される。これによって、ハンドオーバ前に、移動先アクセスネットワーク２で付与されるアドレスを取得することができ、このアドレスを用いて移動端末１０からＳＩＰメッセージによる位置登録をすることができる。
【００４４】
（Ｓ４０２）最初に、移動端末１０が、ＮＡＰ２１から、ネットワーク識別子を含む電波を受信する。ここでのネットワーク識別子は、ＢＳＳＩＤ(Basic Service Set IDentifier)である。ＢＳＳＩＤは、例えばIEEE802.11の無線ＬＡＮにおける４８ビットのネットワークの識別子であって、通常、アクセスポイントのＭＡＣ(Media Access Control)アドレスである。
（Ｓ４０３）移動端末１０は、ルータ要請代理(Router Solicitation Proxy：RtSolPr)メッセージを、通信中のＰＡＰ１１を介して、ＰＡＲ１２へ送信する。ルータ要請代理メッセージは、Ｓ４０２で取得したＮＡＰ２１のＢＳＳＩＤを含む。
（Ｓ４０４）ＰＡＲ１２は、記憶テーブルを用いて、ルータ要請代理メッセージに含まれるＢＳＳＩＤから、新アドレスＮＡ(New Address)を取得する。そして、ＰＡＲ１２は、その新アドレスＮＡを含む代理ルータ広告(Proxy Router Advertisement: PrRtAdv)メッセージを、移動端末１０へ返信する。即ち、代理ルータ広告メッセージには、ＮＡＲ２２のアドレスと、第２のＰ−ＣＳＣＦ２３のアドレスとが含まれる。また、代理ルータ広告メッセージには、ＩＰレイヤを設定するための情報（例えばプレフィックス）も含まれる。
（Ｓ４０５）移動端末１０は、代理ルータ広告メッセージに含まれる新アドレスＮＡを取得する。ここまでは、ＦＭＩＰｖ６のシーケンスによって実現できる。
【００４５】
（Ｓ４０６）移動端末１０は、ユーザデータの転送を要求する転送要求メッセージを、通信中のＰＡＰ１１を介して、ＰＡＲ１１へ送信する。転送要求メッセージの宛先アドレスは、ＮＡＲ２２のアドレスを表す。
【００４６】
（Ｓ４０７）ＮＡＲ２２は、転送要求メッセージを受信した際に、転送応答メッセージを、ＰＡＲ１２を介して移動端末１０へ返信する。これによって、ＮＡＲ２２は、相手方端末２０から受信したユーザデータを、ＰＡＲ２１を介して移動端末１０へ送信すべきことを認識する。
【００４７】
（Ｓ４０８）移動端末１０は、第２のＳ−ＣＳＣＦ２４に対する位置登録要求REGISTERを、新アドレスＮＡによってＩＰカプセル化する。ＩＰカプセル化された位置登録パケットの宛先アドレスは、ＮＡＲ２２のアドレスを表す。移動端末１０は、その位置登録パケットを、ＰＡＲ１２を介して、ＮＡＲ２２へ送信する。位置登録パケットを受信したＮＡＲ２２は、位置登録パケットのＩＰカプセルを除去する。そして、その位置登録要求REGISTERを、第２のＰ−ＣＳＣＦ２３を介して、第２のＳ−ＣＳＣＦ２４へ送信する。第２のＳ−ＣＳＣＦ２４は、その位置登録要求REGISTERをＳＣＣ−ＡＳ３０へ転送する。
【００４８】
（Ｓ４０９）移動端末１０は、相手先端末２０に対する呼接続要求INVITEを、新アドレスＮＡによってＩＰカプセル化する。ＩＰカプセル化された呼接続要求パケットの宛先アドレスは、ＮＡＲ２２のアドレスを表す。移動端末１０は、その呼接続要求パケットを、ＰＡＲ１２を介して、ＮＡＲ２２へ送信する。呼接続要求パケットを受信したＮＡＲ２２は、その呼接続要求パケットのＩＰカプセルを除去する。そして、その位置登録要求REGISTERを、第２のＰ−ＣＳＣＦ２３を介して、第２のＳ−ＣＳＣＦ２４へ送信する。第２のＳ−ＣＳＣＦ２４は、その呼接続要求INVITEをＳＣＣ−ＡＳ３０へ転送する。
【００４９】
（Ｓ４１０）ＳＣＣ−ＡＳ３０は、セッションを終端することなく、相手方端末２０宛に更新した対向セッション情報を作成し、更新位置登録要求reINVITEを、第１のＳ−ＣＳＣＦ１４へ送信する。第１のＳ−ＣＳＣＦ１４は、ｉＦＣ情報に応じて、その更新位置登録要求reINVITEを、第２のＳ−ＣＳＣＦ２４へ転送する。第２のＳ−ＣＳＣＦ２４は、ｉＦＣ情報に応じて、その位置登録要求INVITEを、再度、ＳＣＣ−ＡＣ３０へ転送する。
【００５０】
（Ｓ４１１）ＳＣＣ−ＡＳ３０は、セッションを終端することなく、相手方端末２０宛に更新した対向セッション情報を作成し、更新位置登録要求reINVITEを、第２のＳ−ＣＳＣＦ２４へ送信する。第２のＳ−ＣＳＣＦ２４は、ｉＦＣ情報に応じて、更新位置登録要求reINVITEを第２のＰ−ＣＳＣＦ２３へ送信する。第２のＰ−ＣＳＣＦ２３は、その位置登録要求INVITEを、ＮＡＲ２２を介して相手方端末２０へ転送する。相手方端末２０は、ユーザの応答許可操作によって、呼接続応答200OKを返信する。
【００５１】
（Ｓ４１２）相手方端末２０は、移動端末１０へ、ユーザデータを送信する。相手方端末２０は、既にreINVITEを受信済みであるために、そのユーザデータの宛先アドレスは、移動端末１０の移動後のアドレスを表す。しかしながら、ＮＡＲ２２は、転送要求メッセージを既に受信しているので、受信したユーザデータは、ＰＡＲ１２へ転送すべきと認識する。そこで、ＮＡＲ２２は、移動前のアドレスで、そのユーザデータをＩＰカプセル化する。カプセル化されたユーザデータパケットは、ＰＡＲ１２を介して、移動前の移動端末１０へ転送される。
【００５２】
図５は、本発明における第２のシステム構成図である。
【００５３】
図５のシステムによれば、移動端末１０が移動する直前から、移動先アクセスネットワークのＮＡＲ２２が、相手方端末２０から移動端末１０へ送信すべきユーザデータパケットをバッファする。移動端末１０が第２のアクセスネットワークへの接続が完了した後、ＮＡＲ２２は、バッファしていたユーザデータパケットを、移動端末１０へ送信する。
【００５４】
図６は、図５におけるシーケンス図である。
【００５５】
（Ｓ６０１）Ｓ４１２の状態にある。
（Ｓ６０２）移動端末１０は、移動する直前に、バッファ開始要求メッセージを、ＰＡＲ１２を介してＮＡＲ２２へ送信する。これによって、ＮＡＲ２２は、ユーザデータのバッファ処理を開始する。
（Ｓ６０３）ＮＡＲ２２は、ＰＡＲ１２に対して、バッファ開始応答メッセージを返信する。ＰＡＲ１２は、移動端末１０へ、バッファ開始応答メッセージを転送する。
（Ｓ６０４）移動端末１０は、ＰＡＰ１１との間の無線リンクを切断し、移動先アクセスネットワーク２へ向けて移動する。
（Ｓ６０５）ＮＡＲ２２は、相手方端末２０から受信した移動端末１０宛のユーザデータをバッファする。
（Ｓ６０６）移動端末１０は、ＮＡＰ２２との間で、無線リンクを接続する。
（Ｓ６０７）移動端末１０は、バッファ解除要求メッセージを、ＮＡＰ２１を介してＮＡＲ２２へ送信する。
（Ｓ６０８）ＮＡＲ２２は、バッファ解除応答メッセージを、ＮＡＰ２１を介して移動端末１０へ送信する。
（Ｓ６０９）ＮＡＲ２２は、バッファしていたユーザデータを、ＮＡＰ２１を介して移動端末１０へ送信する。
（Ｓ６１０）その後、移動端末１０と相手方端末２０との間で、第２のアクセスネットワーク２を介した通信が継続する。
【００５６】
図７は、本発明の移動端末及びアクセスルータの機能構成図である。
【００５７】
移動端末１０は、電波受信部１０１と、移動先アドレス取得部１０２と、位置登録要求送信部１０３と、呼接続要求部１０４と、ユーザデータ送受信部１０５と、転送制御通知部１０６と、バッファ制御通知部１０７とを有する。これら機能構成部は、移動端末に搭載されたコンピュータを機能させるプログラムを実行することによって実現される。
【００５８】
電波受信部１０１は、移動先のアクセスポイントから、ネットワーク識別子（例えばＢＳＳＩＤ）を含む電波を受信する。ネットワーク識別子は、移動先アドレス取得部１０２へ出力される。
【００５９】
移動先アドレス取得部１０２は、ネットワーク識別子を移動元のアクセスルータへ送信し、そのアクセスルータからネットワーク識別子に対応した新アドレスＮＡを受信する。
【００６０】
位置登録要求送信部１０３は、移動先の呼セッション制御サーバに対する位置登録要求を、新アドレスＮＡによってＩＰカプセル化し、カプセル化されたその位置登録パケットを、移動元のアクセスルータを介して移動先のアクセスルータへ送信する。
【００６１】
呼接続要求送信部１０４は、移動先のアクセスネットワークを介した移動先の呼セッション制御サーバに対する呼接続要求を、新アドレスＮＡによってＩＰカプセル化し、カプセル化されたその呼接続パケットを、移動元のアクセスルータを介して移動先のアクセスルータへ送信する。
【００６２】
ユーザデータ送受信部１０５は、相手方端末２０との間で、ユーザデータを送受信する。
【００６３】
転送制御通知部１０６は、ユーザデータの転送を要求する転送要求メッセージを、移動元のアクセスルータを介して移動先のアクセスルータへ送信する。
【００６４】
バッファ制御通知部１０７は、移動先のアクセスポイントに接続する前に、バッファ開始要求メッセージを、移動元のアクセスルータを介して移動先のアクセスルータへ送信する。また。バッファ制御通知部１０７は、移動先のアクセスポイントに接続した後、移動先のアクセスルータへ、バッファ解除要求メッセージを送信する。
【００６５】
アクセスルータは、記憶テーブル部１２１と、位置登録転送部１２２と、呼接続転送部１２３と、ユーザデータ転送部１２４と、バッファ部２２５とを有する。これら機能構成部は、アクセスルータに搭載されたコンピュータを機能させることによって実現される。
【００６６】
記憶テーブル部１２１は、移動先のアクセスネットワークに接続された移動先のアクセスポイントのネットワーク識別子と、移動先のアクセスネットワークに接続された移動先のアクセスルータの管理下の新アドレスＮＡとを対応付けて記憶する。
【００６７】
位置登録転送部１２２は、移動元のアクセスポイントから受信した位置登録パケットを、その宛先となる移動先のアクセスルータへ転送する。また、位置登録転送部１２２は、移動先のアクセスポイントから受信した位置登録パケットの位置登録パケットのＩＰカプセルを除去し、その位置登録要求を、移動先の第２のＰ−ＣＳＣＦへ送信する。
【００６８】
呼接続転送部１２３は、移動元のアクセスポイントから受信した呼接続パケットを、その宛先となる移動先のアクセスルータへ転送する。また、呼接続転送部１２３は、移動先のアクセスポイントから受信した位置登録パケットの呼接続パケットのＩＰカプセルを除去し、その呼接続要求を、移動先の第２のＰ−ＣＳＣＦへ送信する。
【００６９】
ユーザデータ転送部１２４は、移動先のアクセスポイントから受信した相手方端末から端末へのユーザデータを、新アドレスＮＡによってＩＰカプセル化し、カプセル化されたそのユーザデータパケットを、移動元のアクセスルータへ転送する。
【００７０】
バッファ部２２５は、移動端末からバッファ開始要求を受信した後、移動先のアクセスポイントから受信した相手方端末から移動端末へのユーザデータを、バッファする。また、移動端末からバッファ解除要求を受信した後、バッファしていたユーザデータを、移動先のアクセスポイントを介して移動端末へ送信する。
【００７１】
Ｓ−ＣＳＣＦ１４は、ｉＦＣ情報に応じて、Ｐ−ＣＳＣＦとＳＣＣ−ＡＳとの間で、ＳＩＰメッセージを相互に転送する。
【００７２】
ＳＣＣ−ＡＳ３０は、第１のＳ−ＣＳＣＦの管理下にあるアクセスネットワークに接続された移動端末が、第２のＳ−ＣＳＣＦの管理下にあるアクセスネットワークへハンドオーバする場合、第２のＳ−ＣＳＣＦから呼接続要求を受信した際に、相手方端末の対向セッションに対する更新呼接続要求reINVITEを、第２のＳ−ＣＳＣＦへ送信する。
【００７３】
以上、詳細に説明したように、本発明のハンドオーバ方法及びシステムによれば、単一の無線モジュールしか搭載していない移動端末であっても、セッションの中断によるパケットロスを生じることなく、異なるＰ／Ｓ−ＣＳＣＦによって制御されるアクセスネットワーク間でハンドオーバすることができる。
【００７４】
本発明によれば、更新呼接続要求reINVITEが転送されるだけであるので、ハンドオフ時間を短縮することもできる（図４のＳ４１１参照）。また、移動端末１０の移動直前まで、移動先のアクセスルータから移動元のアクセスルータへのパケットの転送も可能となる（図６のＳ６０１参照）。
【００７５】
前述した本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００７６】
１  第１のアクセスネットワーク
１０  移動端末
１０１  電波受信部
１０２  移動先アドレス取得部
１０３  位置登録要求送信部
１０４  呼接続要求部
１０５  ユーザデータ送受信部
１０６  転送制御通知部
１０７  バッファ制御通知部
１１  第１のアクセスポイント、ＰＡＰ
１２  第１のアクセスルータ、ＰＡＲ
１２１  記憶テーブル部
１２２  位置登録転送部
１２３  呼接続転送部
１２４  ユーザデータ転送部
２２５  バッファ部
１３  第１のＰ−ＣＳＣＦ
１４  第１のＳ−ＣＳＣＦ
１５  第１のＨＳＳ
２０  相手方端末
２１  第２のアクセスポイント、ＮＡＰ
２２  第２のアクセスルータ、ＮＡＲ
２３  第２のＰ−ＣＳＣＦ
２４  第２のＳ−ＣＳＣＦ
２５  第２のＨＳＳ
３  ＩＭＳ／ＭＭＳコアネットワーク
３０  ＳＣＣ−ＡＳ
【図１】
2010171665.tif 000003
【図２】
2010171665.tif 000004
【図３】
2010171665.tif 000005
【図４】
2010171665.tif 000006
【図５】
2010171665.tif 000007
【図６】
2010171665.tif 000008
【図７】
2010171665.tif 000009